(57)【要約】【課題】本発明は、映り込みが少なく、コントラストが高く、高輝度であり、面均一性のよい反射スクリーンを提供する。【解決手段】スクリーン面に対して直交する断面において、裏面側における幅よりも観察面側における幅の方が広い略台形形状であり、スクリーン面に沿って複数並べて形成され、光を透過可能な光透過部１２と、その断面において、スクリーン面に沿って光透過部１２と交互に形成され、光を吸収する光吸収部１３とを有する反射スクリーン１０において、可視角αを規定し、この可視角αが、４０°≦θ≦７０°を満たす反射スクリーン１０とすることによって実現した。【選択図】図３
2009098635.tif 000002
【特許請求の範囲】
【請求項１】
映像源から投影された映像光を反射させて観察可能とする反射スクリーンであって、
スクリーン面に対して直交する断面において、裏面側における幅よりも観察面側における幅の方が広い略台形形状であり、スクリーン面に沿って複数並べて形成され、光を透過可能な光透過部と、
前記断面において、スクリーン面に沿って前記光透過部と交互に形成され、光を吸収する光吸収部と、
前記光透過部より裏面側に設けられ、光を反射する反射層と、
を備え、
前記光透過部の屈折率をｎ２、
前記光吸収部が配列されるピッチをＰ、
前記光吸収部の配列方向における裏面側の幅をｗ２、
前記光吸収部のスクリーン面の法線方向における高さをｈ３とし、
前記光透過部と前記光吸収部との配列方向において、前記光透過部に隣接する前記光吸収部をそれぞれ第１の光吸収部、第２の光吸収部とするとき、前記第１の光吸収部の前記光透過部との境界面がスクリーン面の法線方向となす角度をａ１、前記第２の光吸収部の前記光透過部との境界面がスクリーン面の法線方向となす角度をａ２とし、
前記第１の光吸収部側から前記光透過部に入射した光が、前記第１の光吸収部と前記光透過部との境界面の最も観察面側端部に接して前記光透過部を透過し、前記第２の光吸収部と前記光透過部との境界面の最も裏面側の端部に入射するとき、前記反射層に対する入射角度をθ１、該反射スクリーンに対する入射角度をα１とし、
前記第２の光吸収部側から前記光透過部に入射した光が、前記第２の光吸収部と前記光透過部との境界面の最も観察面側端部に接して前記光透過部を透過し、前記第１の光吸収部と前記光透過部との境界面の最も裏面側の端部に入射するとき、前記反射層に対する入射角度をθ２、該反射スクリーンに対する入射角度をα２としたとき、
Ｐ＝ｈ３（ｔａｎ（θ１）−ｔａｎ（ａ１））＋ｗ２
Ｐ＝ｈ３（ｔａｎ（θ２）−ｔａｎ（ａ２））＋ｗ２
ｎ２ｓｉｎ（θ１）＝ｓｉｎ（α１）
ｎ２ｓｉｎ（θ２）＝ｓｉｎ（α２）
α１＋α２＝α
４０°≦α≦７０°
という関係を満たすこと、
を特徴とする反射スクリーン。
【請求項２】
映像源から投影された映像光を反射させて観察可能とする反射スクリーンであって、
スクリーン面に対して直交する断面において、裏面側における幅よりも観察面側における幅の方が広い略台形形状であり、スクリーン面に沿って複数並べて形成され、光を透過可能な光透過部と、
前記断面において、スクリーン面に沿って前記光透過部と交互に形成され、光を吸収する光吸収部と、
前記光透過部より裏面側に設けられ、光を反射する反射層と、
前記反射層と前記光透過部との間に設けられた光を透過可能な層であって、前記反射層と前記光透過部の裏面との間に所定の間隔をあける間隔設定層と、
を備え、
前記光吸収部が配列されるピッチをＰ、
前記光吸収部の配列方向における裏面側の幅をｗ２、
前記光吸収部のスクリーン面の法線方向における高さをｈ３、
前記間隔設定層の厚みをｈ４、
前記光透過部の屈折率をｎ２、前記間隔設定層の屈折率をｎ４とし、
前記光透過部と前記光吸収部との配列方向において、前記光透過部に隣接する前記光吸収部をそれぞれ第１の光吸収部、第２の光吸収部とするとき、前記第１の光吸収部の前記光透過部との境界面がスクリーン面の法線方向となす角度をａ１、前記第２の光吸収部の前記光透過部との境界面がスクリーン面の法線方向となす角度をａ２とし、
前記第１の光吸収部側から前記光透過部に入射した光が、前記第１の光吸収部と前記光透過部との境界面の最も観察面側の端部に接して前記光透過部を透過し、前記間隔設定層に屈折角ｂ１で入射し、前記反射層で反射して前記第２の光吸収部と前記光透過部との境界面の最も裏面側の端部に入射するとき、前記光透過部から前記間隔設定層へ入射する入射角度をθ１、該反射スクリーンに対する入射角度をα１とし、
前記第２の光吸収部側から前記光透過部に入射した光が、前記第２の光吸収部と前記光透過部との境界面の最も観察面側の端部に接して前記光透過部を透過し、前記間隔設定層に屈折角ｂ２で入射し、前記反射層で反射して前記第１の光吸収部と前記光透過部との境界面の最も裏面側の端部に入射するとき、前記光透過部から前記間隔設定層へ入射する入射角度θ２、該反射スクリーンに対する入射角度をα２としたとき、
Ｐ＝ｈ３（ｔａｎ（θ１）−ｔａｎ（ａ１））＋２（ｈ４）ｔａｎ（ｂ１）＋ｗ２
Ｐ＝ｈ３（ｔａｎ（θ２）−ｔａｎ（ａ２））＋２（ｈ４）ｔａｎ（ｂ２）＋ｗ２
ｎ２ｓｉｎ（θ１）＝ｎ４ｓｉｎ（ｂ１）
ｎ２ｓｉｎ（θ２）＝ｎ４ｓｉｎ（ｂ２）
ｎ２ｓｉｎ（θ１）＝ｓｉｎ（α１）
ｎ２ｓｉｎ（θ２）＝ｓｉｎ（α２）
α１＋α２＝α
４０°≦α≦７０°
という関係を満たすこと、
を特徴とする反射スクリーン。
【請求項３】
請求項２に記載の反射スクリーンにおいて、
前記間隔設定層は、光の透過率が４０％以上であること、
を特徴とする反射スクリーン。
【請求項４】
請求項２又は請求項３に記載の反射スクリーンにおいて、
前記間隔設定層は、透明又は半透明の樹脂を用いて形成されていること、
を特徴とする反射スクリーン。
【請求項５】
請求項２から請求項４までのいずれか１項に記載の反射スクリーンにおいて、
前記間隔設定層の屈折率は、前記光透過部の屈折率よりも小さいこと、
を特徴とする反射スクリーン。
【請求項６】
請求項１から請求項５までのいずれか１項に記載の反射スクリーンにおいて、
前記光吸収部の屈折率は、前記光透過部の屈折率よりも小さいこと、
を特徴とする反射スクリーン。
【請求項７】
請求項１から請求項６までのいずれか１項に記載の反射スクリーンにおいて、
前記反射層は、観察面側に、シート面に対して直交する方向における断面形状が半径０．０１ｍｍから０．１ｍｍの曲面部分を有した凹形状を含む表面の形状であって、シート面に対して直交するとともに前記断面と直交する方向に同一断面形状で延在し、前記断面と同一の方向に複数並べて配置された単位反射表面形状を有すること、
を特徴とする反射スクリーン。
【請求項８】
請求項７に記載の反射スクリーンにおいて、
前記単位反射表面形状が配置される方向は、前記光透過部と前記光吸収部とが並ぶ方向と直交すること、
を特徴とする反射スクリーン。
【発明の詳細な説明】
【技術分野】
【０００１】
本発明は、投射された映像光を反射して観察可能に表示する反射スクリーンに関するものである。
【背景技術】
【０００２】
従来、この種の反射スクリーンは、透明シートの前面側（観察面側）に光透過拡散層、背面側に光反射用のリニアフレネルレンズ面が設けられたものが知られていた（例えば、特許文献１）。また、特許文献２には、外光によるコントラストの低下を抑え、好適な視野角を得ることを可能にする反射スクリーンの構成が開示されている。さらに、特許文献３には、レンチキュラーレンズと、反射部を設けた裏面にレンチキュラーレンズの配列方向と直交する方向に配列されたリニアフレネルレンズとの組み合わせによる反射スクリーンについて記載されている。
【０００３】
しかし、上述の反射スクリーンは、照明が点いた部屋では、映像が見難く、日中の屋外等で使用することができなかった。
また、よりコントラストの高い画像を得たいという要求、及び、投影側光源の光量が少ない場合であっても、できる限り高輝度な画像を得たいという要求があった。さらに、高輝度な画像を得られた場合であっても、不要な映り込みを排除することは、常に要求されることである。
さらにまた、上述した従来の反射スクリーンでは、その製造工程が複雑になり、結果として製造コストが高くなるという問題があった。
【０００４】
また、特許文献４には、斜め前方（観察者側）から投射した光を反射させて観察する反射スクリーンに関し、断面が鋸歯状のスクリーン面に反射面と光吸収面とを形成し、映像光及び外光が到達する面を作り分けた反射スクリーンが開示されている。
しかし、特許文献４に記載の反射スクリーンでは、断面が鋸歯状のスクリーン面に反射面と光吸収面とを明確に分けて製造する必要があるが、鋸歯状の山の一方を反射面とし、他方を光吸収面として作り分けることは、困難であって、製造単価が高くなってしまうという問題があった。
【特許文献１】特開平８−２９８７５号公報
【特許文献２】特開平１０−６２８７０号公報
【特許文献３】特開２００２−３１１５０７号公報
【特許文献４】特開平２−２６２１３４号公報
【発明の開示】
【発明が解決しようとする課題】
【０００５】
本発明の課題は、不要な外光の反射を低減し、コントラストが高く、高輝度であって、面均一性の高い映像を表示できる反射スクリーンを提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
請求項１の発明は、映像源から投影された映像光を反射させて観察可能とする反射スクリーンであって、スクリーン面に対して直交する断面において、裏面側における幅よりも観察面側における幅の方が広い略台形形状であり、スクリーン面に沿って複数並べて形成され、光を透過可能な光透過部（１２）と、前記断面において、スクリーン面に沿って前記光透過部と交互に形成され、光を吸収する光吸収部（１３）と、前記光透過部より裏面側に設けられ、光を反射する反射層（１５）と、を備え、前記光透過部の屈折率をｎ２、前記光吸収部が配列されるピッチをＰ、前記光吸収部の配列方向における裏面側の幅をｗ２、前記光吸収部のスクリーン面の法線方向における高さをｈ３とし、前記光透過部と前記光吸収部との配列方向において、前記光透過部に隣接する前記光吸収部をそれぞれ第１の光吸収部、第２の光吸収部とするとき、前記第１の光吸収部の前記光透過部との境界面がスクリーン面の法線方向となす角度をａ１、前記第２の光吸収部の前記光透過部との境界面がスクリーン面の法線方向となす角度をａ２とし、前記第１の光吸収部側から前記光透過部に入射した光が、前記第１の光吸収部と前記光透過部との境界面の最も観察面側の端部に接して前記光透過部を透過し、前記第２の光吸収部と前記光透過部との境界面の最も裏面側の端部に入射するとき、前記反射層に対する入射角度をθ１、該反射スクリーンに対する入射角度をα１とし、前記第２の光吸収部側から前記光透過部に入射した光が、前記第２の光吸収部と前記光透過部との境界面の最も観察面側の端部に接して前記光透過部を透過し、前記第１の光吸収部と前記光透過部との境界面の最も裏面側の端部に入射するとき、前記反射層に対する入射角度をθ２、該反射スクリーンに対する入射角度をα２としたとき、Ｐ＝ｈ３（ｔａｎ（θ１）−ｔａｎ（ａ１））＋ｗ２、Ｐ＝ｈ３（ｔａｎ（θ２）−ｔａｎ（ａ２））＋ｗ２、ｎ２ｓｉｎ（θ１）＝ｓｉｎ（α１）、ｎ２ｓｉｎ（θ２）＝ｓｉｎ（α２）、α１＋α２＝α、４０°≦α≦７０°という関係を満たすこと、を特徴とする反射スクリーン（２０）である。
請求項２の発明は、映像源から投影された映像光を反射させて観察可能とする反射スクリーンであって、スクリーン面に対して直交する断面において、裏面側における幅よりも観察面側における幅の方が広い略台形形状であり、スクリーン面に沿って複数並べて形成され、光を透過可能な光透過部（１２）と、前記断面において、スクリーン面に沿って前記光透過部と交互に形成され、光を吸収する光吸収部（１３）と、前記光透過部より裏面側に設けられ、光を反射する反射層（１５，３５）と、前記反射層と前記光透過部との間に設けられた光を透過可能な層であって、前記反射層と前記光透過部の裏面との間に所定の間隔をあける間隔設定層（１４，３４）と、を備え、前記光吸収部が配列されるピッチをＰ、前記光吸収部の配列方向における裏面側の幅をｗ２、前記光吸収部のスクリーン面の法線方向における高さをｈ３、前記間隔設定層の厚みをｈ４、前記光透過部の屈折率をｎ２、前記間隔設定層の屈折率をｎ４とし、前記光透過部と前記光吸収部との配列方向において、前記光透過部に隣接する前記光吸収部をそれぞれ第１の光吸収部、第２の光吸収部とするとき、前記第１の光吸収部の前記光透過部との境界面がスクリーン面の法線方向となす角度をａ１、前記第２の光吸収部の前記光透過部との境界面がスクリーン面の法線方向となす角度をａ２とし、前記第１の光吸収部側から前記光透過部に入射した光が、前記第１の光吸収部と前記光透過部との境界面の最も観察面側の端部に接して前記光透過部を透過し、前記間隔設定層に屈折角ｂ１で入射し、前記反射層で反射して前記第２の光吸収部と前記光透過部との境界面の最も裏面側の端部に入射するとき、前記光透過部から前記間隔設定層へ入射する入射角度をθ１、該反射スクリーンに対する入射角度をα１とし、前記第２の光吸収部側から前記光透過部に入射した光が、前記第２の光吸収部と前記光透過部との境界面の最も観察面側の端部に接して前記光透過部を透過し、前記間隔設定層に屈折角ｂ２で入射し、前記反射層で反射して前記第１の光吸収部と前記光透過部との境界面の最も裏面側の端部に入射するとき、前記光透過部から前記間隔設定層へ入射する入射角度θ２、該反射スクリーンに対する入射角度をα２としたとき、Ｐ＝ｈ３（ｔａｎ（θ１）−ｔａｎ（ａ１））＋２（ｈ４）ｔａｎ（ｂ１）＋ｗ２、Ｐ＝ｈ３（ｔａｎ（θ２）−ｔａｎ（ａ２））＋２（ｈ４）ｔａｎ（ｂ２）＋ｗ２、ｎ２ｓｉｎ（θ１）＝ｎ４ｓｉｎ（ｂ１）、ｎ２ｓｉｎ（θ２）＝ｎ４ｓｉｎ（ｂ２）、ｎ２ｓｉｎ（θ１）＝ｓｉｎ（α１）、ｎ２ｓｉｎ（θ２）＝ｓｉｎ（α２）、α１＋α２＝α、４０°≦α≦７０°という関係を満たすこと、を特徴とする反射スクリーン（１０，３０）である。
請求項３の発明は、請求項２に記載の反射スクリーンにおいて、前記間隔設定層（１４，３４）は、光の透過率が４０％以上であること、を特徴とする反射スクリーン（１０，３０）である。
請求項４の発明は、請求項２又は請求項３に記載の反射スクリーンにおいて、前記間隔設定層（１４，３４）は、透明又は半透明の樹脂を用いて形成されていること、を特徴とする反射スクリーン（１０，３０）である。
請求項５の発明は、請求項２から請求項４までのいずれか１項に記載の反射スクリーンにおいて、前記間隔設定層の屈折率は、前記光透過部の屈折率よりも小さいこと、を特徴とする反射スクリーンである。
請求項６の発明は、請求項１から請求項５までのいずれか１項に記載の反射スクリーンにおいて、前記光吸収部（１３）の屈折率は、前記光透過部（１２）の屈折率よりも小さいこと、を特徴とする反射スクリーン（１０，２０，３０）である。
請求項７の発明は、請求項１から請求項６までのいずれか１項に記載の反射スクリーンにおいて、前記反射層（３５）は、観察面側に、シート面に対して直交する方向における断面形状が半径０．０１ｍｍから０．１ｍｍの曲面部分を有した凹形状を含む表面の形状であって、シート面に対して直交するとともに前記断面と直交する方向に同一断面形状で延在し、前記断面と同一の方向に複数並べて配置された単位反射表面形状を有すること、を特徴とする反射スクリーン（３０）である。
請求項８の発明は、請求項７に記載の反射スクリーンにおいて、前記単位反射表面形状が配置される方向は、前記光透過部（１２）と前記光吸収部（１３）とが並ぶ方向と直交すること、を特徴とする反射スクリーン（３０）である。
【発明の効果】
【０００７】
本発明によれば、以下の効果を奏することができる。
（１）本発明による反射スクリーンは、Ｐ＝ｈ３（ｔａｎ（θ１）−ｔａｎ（ａ１））＋ｗ２、Ｐ＝ｈ３（ｔａｎ（θ２）−ｔａｎ（ａ２））＋ｗ２、ｎ２ｓｉｎ（θ１）＝ｓｉｎ（α１）、ｎ２ｓｉｎ（θ２）＝ｓｉｎ（α２）、α１＋α２＝α、４０°≦α≦７０°という関係を満たすので、視野角を広げ、面均一性を向上させ、コントラストが高い鮮明な映像を表示できる。また、上記の関係を満たすならば、各寸法を適宜選択することができ、使用環境等や用途に応じて、様々な形態の反射スクリーンの設計が行える。
【０００８】
（２）本発明による反射スクリーンは、Ｐ＝ｈ３（ｔａｎ（θ１）−ｔａｎ（ａ１））＋２（ｈ４）ｔａｎ（ｂ１）＋ｗ２、Ｐ＝ｈ３（ｔａｎ（θ２）−ｔａｎ（ａ２））＋２（ｈ４）ｔａｎ（ｂ２）＋ｗ２、ｎ２ｓｉｎ（θ１）＝ｎ４ｓｉｎ（ｂ１）、ｎ２ｓｉｎ（θ２）＝ｎ４ｓｉｎ（ｂ２）、ｎ２ｓｉｎ（θ１）＝ｓｉｎ（α１）、ｎ２ｓｉｎ（θ２）＝ｓｉｎ（α２）、α１＋α２＝α、４０°≦α≦７０°という関係を満たすので、視野角を広げ、面均一性を向上させ、コントラストが高い鮮明な映像を表示できる。また、上記関係を満たすならば、各寸法を適宜選択することができ、使用環境等や用途に応じて、様々な形態の反射スクリーンの設計が行える。
さらに、間隔設定層を有しているので、不要な外光が光透過部と光吸収部との境界面で全反射して反射層へ到達した場合にも、反射層で反射した外光を光吸収部の裏面側へ入射させて吸収することができる。従って、光吸収部によって吸収される外光の量をより多くすることができ、不要な外光の反射を低減し、コントラスト向上の機能をさらに高めることができる。
【０００９】
（３）間隔設定層は、光の透過率が４０％以上であるので、映像光の光量を大幅に低下させることなく、観察者側へ戻すことができ、明るい映像を表示することができる。
【００１０】
（４）間隔設定層は、透明又は半透明の樹脂を用いて形成されているので、形成が容易である。また、反射層へ入射する光及び反射層で反射された映像光の光量を大幅に低下させることなく明るい映像を表示できる。
【００１１】
（５）間隔設定層の屈折率は、光透過部の屈折率よりも小さいので、間隔設定層と光透過部との界面で、反射スクリーンに入射した不要な外光の屈折する角度が大きくなり、反射層で反射した外光が光吸収部に吸収される割合が増加し、不要な外光の反射を低減し、コントラスト向上効果を高めることができる。
【００１２】
（６）光吸収部の屈折率は、光透過部の屈折率よりも小さいので、光透過部と光吸収部との境界面において、映像光を全反射することができ、映像光の損失を最小限とすることができ、明るい映像を表示できる。
【００１３】
（７）反射層は、観察面側に、シート面に対して直交する方向における断面形状が半径０．０１ｍｍから０．１ｍｍの曲面部分を有した凹形状を含む表面の形状であって、シート面に対して直交するとともにこの断面と直交する方向に同一断面形状で延在し、この断面と同一の方向に複数並べて配置された単位反射表面形状を有するので、光を特定の方向及び範囲に拡散させることができ、ホットスポット等を防止できる。また、表面の形状が微細であることから、不自然な縞状の模様等が認識されることもなく、外観品質のよい反射シートとすることができる。
【００１４】
（８）単位反射表面形状が配置される方向は、光透過部と光吸収部とが並ぶ方向と直交するので、単位反射表面形状が並べて配置される方向では、映像光を適度に拡散させることができるとともに、光透過部と光吸収部とが交互に並ぶ方向では、不要な外光を効率よく吸収することができる。
【発明を実施するための最良の形態】
【００１５】
本発明は、映り込みが少なく、コントラストが高く、高輝度であり、面均一性のよい反射スクリーンを提供するという目的を、スクリーン面に対して直交する断面において、裏面側における幅よりも観察面側における幅の方が広い略台形形状であり、スクリーン面に沿って複数並べて形成され、光を透過可能な光透過部と、その断面において、スクリーン面に沿って光透過部と交互に形成され、光を吸収する光吸収部とを有する反射スクリーンにおいて、可視角αを規定し、この可視角αが、４０°≦α≦７０°を満たす反射スクリーンとすることによって実現した。
【００１６】
（第１実施形態）
図１は、第１実施形態の反射スクリーン１０を示す図である。図１において、反射スクリーン１０は、反射スクリーン１０のスクリーン面に平行であり、使用状態における垂直方向（上下方向）に平行な断面が示されており、反射スクリーン１０の右側が観察面側（映像源側）であり、左側が裏面側である。
ここで、スクリーン面とは、スクリーン全体としてみたときにおける、スクリーン使用時の平面方向となる面を示すものであり、以下の説明中、及び、特許請求の範囲においても同一の定義として用いている。
なお、図１を含め以下に示す各図は、説明のため、各部の寸法、形状等を適宜誇張して示している。また、図１は、室内照明Ｇ、映像源Ｌ、反射スクリーン１０等をまとめて模式的に示しているので、実際とは配置関係が異なり、各光線の入射角度等が後述の説明における大小関係と異なる部分が含まれている。さらに、本明細書中に記載する各部材の寸法等の数値及び材料名等は、実施形態としての一例であり、これに限定されるものではなく、適宜選択して使用してよい。
【００１７】
第１実施形態の反射スクリーン１０は、映像光を投影するプロジェクタ光学エンジン（映像源）Ｌから投射された主な映像光がスクリーン面の略法線方向から入射し、室内照明（外光源）Ｇからの照明光等の不要光の殆どが、スクリーンの上方から入射することを考慮して開発された反射スクリーンであり、映像光は、効率よく観察者Ｏ側へ反射し、不要な外光は、選択的に後述の光吸収部１３に吸収させることで、非常にコントラストの高いフロントプロジェクタ用反射スクリーンとしたものである。
【００１８】
反射スクリーン１０は、基材層１１、光透過部１２、光吸収部１３、間隔設定層１４、反射層１５，表面処理層１６等を有している。
基材層１１は、光透過部１２を形成するときに必要な基材（ベース）となる部分であり、アクリル、ポリカーボネート（ＰＣ）、ポリエチレンテレフタレート（ＰＥＴ）等の樹脂製のシート又はフィルムから形成される光透過性を有する部分である。本実施形態では、基材層１１として、反射スクリーン１０の使用状態で観察面側となる表面にマット加工処理を施した、屈折率１．５５のＰＥＴ樹脂製のフィルムを使用しており、その厚さｈ１＝１００μｍである（図２参照）。なお、この基材層１１には、必要に応じて所定の透過率に減じさせるようなグレー等の染料、顔料で着色（ティント）が施されていてもよい。
【００１９】
光透過部１２は、図１に示すように、その形状が裏面側における幅より観察面側における幅の方が広い略台形形状をしており、スクリーン面に沿って（図１では上下方向に）複数並べて形成されている。
光透過部１２は、例えば、紫外線硬化型樹脂を基材層１１上に塗布し、型を当てつけた状態で紫外線を照射して硬化させることにより、上述の形状が賦型され、形成される。この光透過部１２の材料としては、紫外線硬化型樹脂に限らず、電離放射線硬化型樹脂等の光硬化型樹脂、例えば、アクリレート、エポキシアクリレート、シリコンアクリレート、シロキサン等の多官能単量体を主成分とする光架橋型の樹脂を用いることができる。ここで、電離放射線とは、電磁波又は荷電粒子線のうち、分子を重合、架橋し得るエネルギー量子を有するものを意味する。
本実施形態では、屈折率１．５５である紫外線硬化型樹脂を基材層１１に滴下して金型を当て、紫外線を照射して硬化させることにより形成されている。
なお、光透過部１２は、紫外線硬化による形成ではなく、アクリル樹脂、ＰＥＴ樹脂等を用いた熱溶融押し出し成型により行ってもよい。
【００２０】
光吸収部１３は、図１に示すように、スクリーン面に沿って光透過部１２と交互に並べて形成され、光を吸収する作用を有する部分である。本実施形態では、光吸収部１３は、光を吸収する微小ビーズとして、平均粒径が６μｍである黒色顔料を含有する光吸収粒子を含む紫外線硬化型樹脂（屈折率１．４９）をワイピング（スキージング）することにより、光透過部１２の間に形成されている。
なお、本実施例では、黒色顔料を含有する光吸収粒子の平均粒径を６μｍとしたが、平均粒径は、１〜１０μｍ程度とすることが好ましい。それよりも小さいとワイピングによるかきとりが難しくなり、１０μｍを超えると光透過部１２の間の隙間への充填が困難になるからである。
【００２１】
間隔設定層１４は、反射層１５と光透過部１２の裏面との間に設けられ、反射層１５と光透過部１２の裏面との間に所定の間隔をあけるように設けられた光を透過可能な層である。
間隔設定層１４は、光透過部１２と光吸収部１３が形成された面全体を覆うように、速乾性の透明樹脂をグラビアコーティングすることによって形成されている。本実施形態では、間隔設定層１４は、光透過部１２と略同等の屈折率１．５５であり、光の透過率が９５％であるウレタン樹脂を用いて形成され、その厚さｈ４＝３０μｍである（図２参照）。
なお、本実施形態では、間隔設定層１４を形成する材料として、光の透過率が９５％であるウレタン樹脂を用いたが、これに限らず、光の透過率が４０％以上であるならば、アクリル樹脂、エポキシ樹脂等を用いてもよい。
【００２２】
反射層１５は、映像光を反射して観察面側へ戻す層であり、光透過部１２の裏面との間に間隔設定層１４を介することにより、光透過部１２の裏面とは間隔をあけて設けられている。
本実施形態では、反射層１５は、反射スクリーン１０の裏面（間隔設定層１４の裏面）全体を覆うように、高反射性を有する白色塗料をグラビアコーティングすることにより形成され、その膜厚ｈ５＝２０μｍである（図２参照）。また、使用した白色塗料の反射率は、全光線の反射率がＲｔ＝８３％、拡散反射率が７２％である。
【００２３】
なお、反射層１５の形成方法としては、グラビアリバースコート、スクリーン印刷、インクジェット方式による塗布、蒸着（アルミニウム、銀、クロム等、反射率の高い金属を用いることが望ましい）等の形成方法を用いることができる。
また、反射層１５の形成に使用する塗料としては、例えば、塗装後の表面がマットとなるつや消しの白色塗料、塗装後の表面の映り込みの大きい（テカリの強い）グロス白系の塗料、銀色系（メタリック）の塗料、マイカ（雲母）やビーズを適宜混入させた塗料等を使用してもよい。これらを適宜使い分けることにより、観察領域や輝度、光源の映り込み防止効果等を制御できる。
表面処理層１６は、アンチグレア処理、反射防止処理、帯電防止処理、ハードコート処理、防汚処理等の各種表面処理が施される層であり、本実施形態では、反射防止処理が施されている。なお、この表面処理層１６に施す処理は、スクリーンが使用される環境等に合わせて、適宜必要なものを選択すればよい。
【００２４】
本実施形態の反射スクリーン１０では、光吸収部１３の屈折率は、光透過部１２の屈折率よりも低いので、この境界面において臨界角よりも大きな角度で入射する光は全反射する。映像源Ｌから投射された主たる映像光Ｌ０は、主にスクリーン面の法線方向から反射スクリーン１０に入射するため、光吸収部１３と光透過部１２との境界面に、臨界角よりも大きな角度で入射して全反射する。
そして、光透過部１２と光吸収部１３との境界面で全反射した映像光Ｌ０は、反射層１５に到達して反射され、その後さらに全反射する等して観察可能な光線として観察者Ｏ側へ戻される。
一方、反射スクリーン１０の上方に設けられた室内照明等の外光源Ｇから入射する主たる外光Ｇ０は、映像光Ｌ０よりも大きな角度で反射スクリーン１０に入射する。そのため、光透過部１２と光吸収部１３との境界面に入射する入射角度が小さくなり、臨界角を越えない成分が多く、全反射することなく光吸収部１３に入射して吸収されたり、反射層１５で反射して光吸収部１３に吸収されたりする。
よって、本実施形態の反射スクリーン１０は、不要な外光が反射されて観察者の位置に到達する割合を非常に小さくすることができ、かつ、映像光を観察者Ｏ側へ効率よく戻すことができる。
【００２５】
この光透過部１２及び光吸収部１３の形状について、さらに詳細に説明する。
図２は、図１に示す反射スクリーン１０の断面での一部を拡大した図である。
図２に示すように、光透過部１２と光吸収部１３の境界面のうち、反射スクリーン１０の使用状態における上側の境界面１２１がスクリーン面の法線方向に平行な直線Ｈ１となす角度をａ１、下側の境界面１２２がスクリーン面の法線方向に平行な直線Ｈ２となす角度をａ２とする。本実施形態では、光透過部１２及び光吸収部１３は、上下方向において対称な形状であり、ａ１＝ａ２である。
また、スクリーン面の法線方向における光透過部１２の幅をｈ２、光吸収部１３のスクリーン面の法線方向における高さをｈ３とし、光透過部１２及び光吸収部１３の配列方向（上下方向）における光透過部１２の幅をｗ１、光吸収部１３の幅をｗ２とし、光透過部１２の屈折率をｎ２とする。光透過部１２と光吸収部１３とが配列されるピッチＰとすると、Ｐ＝ｗ１＋ｗ２である。
【００２６】
ここで、本実施形態の光透過部１２及び光吸収部１３の形状や寸法から、可視角αを以下のように規定する。
図３は、可視角αを説明する図である。なお、理解を容易にするために、図３では基材層１１，表面処理層１６を省略して示してあるが、基材層１１及び表面処理層１６は、略平行平板状であるので、省略して示した場合にも、後述する角度α１，α２，θ１，θ２等の関係は維持されている。
説明のため、図３に示すように、ある光透過部１２に対して隣接する２つの光吸収部１３のうち、例えば、上側の光吸収部１３を第１の光吸収部１３１、下側の光吸収部１３を第２の光吸収部１３２とする。
ある光Ｌ１が、第１の光吸収部１３１側から光透過部１２に入射し、第１の光吸収部１３１と光透過部１２との境界面の最も観察面側の端部Ａ１に接して光透過部１２を透過し、間隔設定層１４に屈折角ｂ１で入射し、反射層１５で反射して第２の光吸収部１３２と光透過部１２との境界面の最も裏面側の端部Ｂ２に入射するとき、光Ｌ１が反射スクリーン１０に対して入射する入射角度をα１、光透過部１２から間隔設定層１４へ入射する入射角度をθ１とする。
また、ある光Ｌ２が、第２の光吸収部１３２側から光透過部１２に入射し、第２の光吸収部１３２と光透過部１２との境界面の最も観察面側の端部Ａ２に接して光透過部１２を透過し、間隔設定層１４に屈折角ｂ２で入射し、反射層１５で反射して第１の光吸収部１３１と光透過部１２との境界面の最も裏面側の端部Ｂ１に入射するとき、光Ｌ２が反射スクリーン１０に対して入射する入射角度をα２、光透過部１２から間隔設定層１４へ入射する入射角度θ２とする。
【００２７】
このとき、角度θ１，θ２は以下に示す式を満たす。
Ｐ＝ｗ１＋ｗ２
＝ｈ３（ｔａｎ（θ１）−ｔａｎ（ａ１））＋２（ｈ４）ｔａｎ（ｂ１）＋ｗ２
・・・（式１）
Ｐ＝ｗ１＋ｗ２
＝ｈ３（ｔａｎ（θ２）−ｔａｎ（ａ２））＋２（ｈ４）ｔａｎ（ｂ２）＋ｗ２
・・・（式２）
ｎ２ｓｉｎ（θ１）＝ｎ４ｓｉｎ（ｂ１）  ・・・（式３）
ｎ２ｓｉｎ（θ２）＝ｎ４ｓｉｎ（ｂ２）  ・・・（式４）
ここで、基材層１１及び表面処理層１６は、略平行平板状であるので、角度θ１，θ２と反射スクリーン１０に対する入射角度α１，α２は、以下の２式を満たす。
ｎ２ｓｉｎ（θ１）＝ｓｉｎ（α１）  ・・・（式５）
ｎ２ｓｉｎ（θ２）＝ｓｉｎ（α２）  ・・・（式６）
この入射角度α１と入射角度α２との和を可視角αとする。従って、可視角αは、下記の（式７）を満たす。
α１＋α２＝α  ・・・（式７）
この可視角αは、以下の関係を満たすことが望ましい。
４０°≦α≦７０°  ・・・（式８）
【００２８】
なお、本実施形態では、基材層１１と光透過部１２とは同じ屈折率であるので、ｂ１＝θ１であり、ｂ２＝θ２である。また、本実施形態では、光透過部１２及び光吸収部１３は、上下方向において対称な形状であるので、ｂ１＝ｂ２、θ１＝θ２、α１＝α２である。
この角度θ１，θ２は、光透過部１２と間隔設定層１４の屈折率や、光透過部１２と光吸収部１３の形状及び各寸法から規定される角度である。従って、例えば、角度ａ１，ａ２、光吸収部１３の高さｈ３、光透過部１２の屈折率ｎ２、間隔設定層の厚さｈ４及び屈折率ｎ４を一定とするとき、光吸収部１３の配列ピッチＰ等を変化させることにより、角度θ１，θ２が変化し、反射スクリーン１０の反射率や外光吸収に関する特性が変化する。この角度θ１，θ２は、可視角αと（式５）から（式７）に示す関係を有するので、可視角αを変化させることにより、反射スクリーン１０の反射率や外光吸収に関する特性を変化させることができる。
【００２９】
ここで、本実施形態と略同様の形態であるが、光吸収部１３の配列ピッチＰ、光透過部１２の裏面側の幅ｗ１が異なることにより可視角αが異なる測定例１から測定例５までの反射スクリーンを用意した。また、測定例３と同じ可視角αを有するが角度ａ１，ａ２や、光吸収部１３の配列ピッチＰ、光吸収部１３３の幅ｗ１及び高さｈ３等が異なる測定例６から測定例８までの反射スクリーンも用意した。
以下に示す表１には、各測定例の反射スクリーンの可視角α、角度ａ１等を記載してある。測定例１から測定例８までの反射スクリーンは、間隔設定層の厚さｈ４＝３０μｍであり、光透過部１２の屈折率ｎ２、間隔設定層の屈折率ｎ４が共通している。また、測定例１から測定例６の反射スクリーンは、光吸収部１３の高さｈ３＝１１７μｍであり、測定例７及び測定例８の反射スクリーンは、光吸収部の高さｈ３＝１３５μｍである点が共通している。
これらの反射スクリーン１０について、入射角度による反射率等の変化を調べ、それぞれの反射スクリーンの面均一性やコントラストを評価し、反射スクリーンとしての性能を評価した。
なお、表１に示すＢＳ率Ｙとは、スクリーン面の法線方向から反射スクリーンを観察したときの反射スクリーンの面積中に占める光吸収部１３の面積の比率である。本実施形態では、光吸収部１３の裏面側の幅ｗ１と光透過部１２の裏面側の幅ｗ２を用いて、ＢＳ率Ｙ＝１００×（ｗ２／（ｗ１＋ｗ２））と表すことができる。
【００３０】
【表１】
2009098635.tif 000003
【００３１】
各反射スクリーンについて、光の入射角度による反射率の変化を、シミュレーションにより求めた。ここで、反射率とは、反射スクリーン全体に入射する光の量に対する反射スクリーン全体から反射された光の量の比である。なお、光の入射角度は、スクリーン面の法線方向を０°とし、スクリーンの使用状態における垂直方向（上下方向）の上側へ、１０°毎に４０°までシミュレーションを行った。
【００３２】
測定結果を説明するにあたり、本実施形態の反射スクリーンにおいて想定している映像光及び外光について説明する。
図４は、反射スクリーンに入射する映像光及び外光の入射角度範囲を示す図である。
本実施形態の反射スクリーン１０のスクリーン面の法線に平行な直線をＨ３とする。本実施形態の反射スクリーン１０は、反射スクリーン１０対して映像源Ｌから投射された映像光が直線Ｈ３を挟んで上下方向に±３０°未満の範囲内（図４中に示す角度範囲Ｃ）で主に入射するように配置され、使用される。
よって、この映像光入射ゾーン（図４中に示す角度範囲Ｃ）以外の領域（図４中に示す角度範囲Ｄ１，Ｄ２）に入射する光は、不要光とみなすことができる。この入射角度の範囲を外光入射ゾーンとする。この外光入射ゾーンのうち、映像光入射ゾーンの上側の範囲（角度範囲Ｄ１）は、主に反射スクリーンの上方から入射する照明光等の不要な外光が入射するとされる角度範囲である。
従って、本実施形態の反射スクリーン１０では、直線Ｈ３を挟んで±３０°未満の角度範囲内で入射する光は映像光とみなし、それ以外（±３０°以上）の入射角度の光は外光とみなしている。
【００３３】
図５は、各測定例の反射スクリーンに対する入射角度と反射率の関係を示すグラフである。図５の縦軸は、反射率であり、横軸は、反射スクリーンのスクリーン面に対する入射角度である。
また、以下に示す表２には、このシミュレーションから得られた反射率Ｒ０，Ｒ１０，Ｒ３０が示されている。この反射率Ｒ０，Ｒ１０，Ｒ３０は、それぞれ、反射スクリーンへ光が入射角度０°，１０°，３０°で入射した場合の反射率である。
【００３４】
【表２】
2009098635.tif 000004
【００３５】
図５は、各反射スクリーンにおける入射角度と反射率との関係を示しており、上述のように、入射角度３０°未満の光は映像光とみなせるので、入射角度３０°未満の光の反射率は、各測定例の反射スクリーン１０の映像光の反射率を意味している。従って、入射角度３０°未満の反射率は、高い方が望ましい。また、入射角度が３０°以上の光の反射率は、外光の反射率とみなせる。従って、入射角度が３０°以上の光の反射率は、低い方が外光の吸収率が高いことを意味するので、その値は低い方が望ましい。
これらのことから、図５に示す各測定例の反射スクリーンの反射率を示す曲線は、入射角度０°での反射率と入射角度３０°以上の入射角度での反射率との差が顕著である方が、映像光の反射率が高く、外光の吸収率が高いことを示し、明るい映像を表示でき、コントラストが良好であることを意味している。
【００３６】
次に、表２中に示すＲ０は入射角度０°の光の反射率、Ｒ１０は入射角度１０°の光の反射率、Ｒ３０は入射角度３０°の光の反射率である。
上述のように、Ｒ０、Ｒ１０は、映像光の反射率と捉えられるので、その値が高い方が明るい映像が表示できることを意味している。また、Ｒ３０は、外光の反射率と捉えられるので、その値が低い方が、外光の吸収率が高く、不要な外光の反射が少ないことを意味している。
【００３７】
表２中に示すＲ１０／Ｒ０，Ｒ３０／Ｒ０は、それぞれ入射角度０°の光の反射率に対する入射角度１０°の光の反射率、入射角度３０°の光の反射率の比（割合）である。
Ｒ１０／Ｒ０は、入射角度０°の光の反射率に対する入射角度１０°の光の反射率の比（割合）を示している。入射角度０°の光は、図４に示すように、映像光であるとみなされるので、この比が１に近い方が、映像光の反射率が高く、明るい映像が表示されることを示す。また、この比が１に近い方が、入射角度０°と入射角度１０°との間での映像光の入射角度による輝度変化が小さいことを示し、面均一性が良好であることも意味する。
Ｒ３０／Ｒ０は、入射角度０°の光の反射率に対する入射角度３０°の光の反射率の比（割合）を示している。入射角度３０°の光は、コントラスト低下の要因となる外光であるとみなされるので、この比率が小さい方が、外光の吸収率が高く、不要な外光の反射が少なく、コントラストが高いことを意味する。
【００３８】
次に、１／２角αＶ，１／３角βＶ，１／１０角γＶについて説明する。
１／２角とは、反射スクリーンの法線方向から入射した光が反射スクリーンによって反射したときのゲインが、ゲインの最大値（ピークゲイン）の１／２となる角度であり、１／３角とは、ゲインがピークゲインの１／３の値となる角度、１／１０角とは、ゲインがピークゲインの１／１０の値となる角度である。
表２中において、αＶは１／２角、βＶは１／３角、γＶは１／１０角を、それぞれ示しており、絶対値で示されている。
【００３９】
１／２角αＶ，１／３角βＶ，１／１０角γＶの値は、その値が小さいほど、スクリーンの使用状態における垂直方向（上下方向）の輝度変化が急峻であり、上下方向の視野角が狭いことを示している。すなわち、１／２角αＶ等の値が小さい反射スクリーンでは、スクリーン面の法線方向から観察した場合に、スクリーンの中央部分の明るさに比べて、スクリーンの上下端側が暗く、かつ、中央部分の明るい範囲が狭いというように、上下方向における視野角が狭く、明るさが不均一であることを示している。
よって、反射スクリーンとしては、１／２角αＶ，１／３角βＶ，１／１０角γＶの値が大きく、かつ、各角度間の間隔が広いことが好ましい。具体的には、少なくとも、本実施形態の反射スクリーンでは、１／２角αＶは１１°以上であることが好ましい。本測定において、１／２角αＶが１１°以上であるということは、最大輝度の１／２以上の輝度を有する視野角範囲が、スクリーン面の法線を挟んでスクリーンの使用状態における上下方向の±１１°以上であることを示し、観察者Ｏが反射スクリーンを観察する際に十分な視野角範囲を有していることを示す。また、これに加えて、より好ましくは、１／３角βＶは、１３°以上、１／１０角γＶは、２２°以上である。
【００４０】
まず、各測定例の反射スクリーンに関して、映像の明るさに関して評価した。
反射スクリーンに表示される映像の明るさを確保するためには、上述したように、映像光とみなされる入射角度０°，１０°の光の反射率が高いことが必要である。そこで、Ｒ０≧５０％、Ｒ１０≧３５％のものを良（良好であり、使用に適する）とし、表２中の映像の明るさの評価欄に、○として示した。また、Ｒ０＜５０％、Ｒ１０＜３５％であるものを不可（不良であり、使用に適さない）とし、表２中の映像の明るさの評価欄に、×として示した。
表２に示す結果より、測定例２から測定例８の反射スクリーンが、映像の明るい反射スクリーンであると言える。
【００４１】
次に、各測定例の反射スクリーンに関して、表示される映像のコントラストの高さについて評価した。
映像のコントラストの高さを確保するためには、映り込みを生じさせたり、コントラストを低下させたりする外光の吸収率が高いことが必要である。また、外光の反射率と映像光の反射率との差が大きいこともコントラスト向上に必要である。従って、Ｒ３０／Ｒ０≦０．２５、かつ、Ｒ３０≦１５％を満たすものを良とし、表２中のコントラストの評価欄に○として示した。また、どちらも満たさないものを不可とし、表２中コントラストの評価欄に×として示した。
表２に示す結果から、測定例１から測定例４の反射スクリーンが、映り込みが少なく、コントラストが高い映像を表示できると言える。また、測定例６から測定例８の反射スクリーンも、映り込みが少なく、コントラストが高い映像を表示できると言える。
【００４２】
さらに、各測定例の反射スクリーンに関して、面均一性に関して評価した。
ここで、面均一性とは、表示される明るさの均一性であり、本実施形態では、特にスクリーンの使用状態における上下方向（垂直方向）における明るさの均一性である。一般的に、面均一性が良好であるとき、輝度変化は緩やかである。また、映像光の入射角度による輝度変化が小さい方が、面均一性が良好となる。
従って、面均一性の良好な反射スクリーンとするためには、１／２角αＶ、１／３角βＶ、１／１０角γＶが大きいことが望ましく、また、Ｒ１０／Ｒ０の値が大きいことが望ましい。
よって、１／２角αＶ≧１１°，１／３角βＶ≧１３°，１／１０角γＶ≧２２°であり、Ｒ１０／Ｒ０≧０．８であるものを良とし、表２中の面均一性の評価欄に○として示した。また、どちらかのみを満たすものを可（良よりも適さないが、十分に使用可能）とし、表２中の面均一性の評価欄に△として示した。
表２に示す結果から、測定例３から測定例５、測定例７の反射スクリーンが、面均一性のよい反射スクリーンであると言える。また、測定例２、測定例６、測定例８の反射スクリーンは、測定例３から測定例５、測定例７の反射スクリーンに比べて面均一性は低いが、許容範囲内であり、測定例１の反射スクリーンの面均一性は、許容範囲内であったが、測定例２に比べて低かった。
【００４３】
以上の結果から、各測定例の反射スクリーンを総合的に評価して、表２の総評に示した。
測定例１の反射スクリーンは、コントラストは高く良好であり、面均一性は許容範囲内であったが、表示される映像が暗く、反射スクリーンとしては不可である。
測定例２の反射スクリーンは、面均一性は可であったが、コントラスト及び映像の明るさは良好であり、反射スクリーンとして使用可能である。
測定例３及び測定例４の反射スクリーンは、コントラスト、映像の明るさ、面均一性のいずれも良好であり、良好な反射スクリーンである。
測定例５の反射スクリーンは、面均一性、映像の明るさは良好であっが、コントラストが低く、反射スクリーンとしては不可である。
測定例６及び測定例８の反射スクリーンは、面均一性は可であったが、コントラスト及び映像の明るさは良好であり、反射スクリーンとして使用可能である。
測定例７の反射スクリーンは、コントラスト、映像の明るさ、面均一性のいずれも良好であり、良好な反射スクリーンである。
【００４４】
よって、映り込みが少なく、コントラストが高く、明るい映像を表示でき、上下方向の面均一性がよいという観点から、測定例２から測定例４、測定例６から測定例８の反射スクリーンが好ましい。この測定例２から測定例４の反射スクリーンは、その可視角αが、それぞれ４２°、５２°、６４°であり、４０°≦α≦７０°を満たしている。また、測定例６から測定例８の反射スクリーンも、可視角αが５２°であり、４０°≦α≦７０°を満たしている。
また、上述の結果から、可視角αが４０°≦α≦７０°を満たすならば、角度ａ１，ａ２や光吸収部１３の配列ピッチＰ、光吸収部の幅ｗ１等に依らず、良好な表示を行えるといえる。
従って、本実施形態によれば、可視角αが４０°≦α≦７０°を満たすので、明るく、コントラストが高い映像を表示でき、スクリーンの面均一性がよい反射スクリーンとすることができる。
また、本実施形態の反射スクリーンは、光透過部１２と光吸収部１３とを有するので、映像光を効率よく観察者Ｏ側へ戻し、かつ、光吸収部１３で不要な外光を吸収することができる。
さらに、間隔設定層１４を設けることにより、外光が光吸収部１３と光透過部１２との境界面で全反射して反射層１５へ到達して反射した場合に、光吸収部１３の裏面側に入射させて吸収することができ、外光吸収効果を高めることができる。
【００４５】
（第２実施形態）
図６は、第２実施形態の反射スクリーンを説明する図である。
なお、図６では、図２に示す断面と略同様の断面の一部を拡大して示している。
第２実施形態の反射スクリーン２０は、第１実施形態に示した反射スクリーン１０と略同様の形態であるが、間隔設定層を有していない点が異なる。よって、前述した第１実施形態と同様の機能を果たす部分には、同一の符号を付して、重複する説明を適宜省略する。
第２実施形態の反射スクリーン２０は、基材層１１，光透過部１２，光吸収部１３，反射層１５，表面処理層１６を有している。
【００４６】
本実施形態の反射スクリーン２０における可視角αを説明する。
まず、図６に示すように、第１の光吸収部１３１側から光透過部１２に入射した光Ｌ３が、第１の光吸収部１３１と光透過部１２との境界面１２１の最も観察面側の端部Ａ１に接して光透過部１２を透過し、第２の光吸収部１３２と光透過部１２との境界面１２２の最も裏面側の端部Ｂ２に入射するとき、光Ｌ３が反射スクリーン２０に入射する入射角度をα１とし、反射層１５に入射する入射角度をθ１とする。また、第２の光吸収部１３２側から光透過部１２に入射した光Ｌ４が、第２の光吸収部１３２と光透過部１２との境界面１２２の最も観察面側の端部Ａ２に接して光透過部１２を透過し、第１の光吸収部１３１と光透過部１２との境界面１２１の最も裏面側の端部Ｂ１に入射するとき、光Ｌ４が反射スクリーン２０に入射する入射角度をα２とし、反射層１５に入射する入射角度をθ２とする。
【００４７】
第２実施形態の反射スクリーン２０は、第１実施形態に示した反射スクリーン１０と略同様の形態であるが、間隔設定層を備えていない。そこで、（式１），（式２）において、間隔設定層の厚さｈ４＝０とすると、
Ｐ＝ｈ３（ｔａｎ（θ１）−ｔａｎ（ａ１））＋ｗ２  ・・・（式９）
Ｐ＝ｈ３（ｔａｎ（θ２）−ｔａｎ（ａ２））＋ｗ２  ・・・（式１０）
角度θ１，θ２は、第１実施形態と同様に、（式５）及び（式６）を満たすので、
ｎ２ｓｉｎ（θ１）＝ｓｉｎ（α１）  ・・・（式５）
ｎ２ｓｉｎ（θ２）＝ｓｉｎ（α２）  ・・・（式６）
となる。可視角αは、この角度α１，α２の和である。よって、可視角αは、
α１＋α２＝α  ・・・（式７）
４０°≦α≦７０°  ・・・（式８）
という関係を満たすことが望ましい。
【００４８】
本実施形態では、間隔設定層を設けていないので、反射スクリーンの生産コストを抑えることができ、また、容易に製造することができる。
【００４９】
（第３実施形態）
図７は、第３実施形態の反射スクリーンを示す図である。なお、図７は、第３実施形態の反射スクリーン３０を裏面側からみた斜視図で示している。
第３実施形態の反射スクリーン３０は、第１実施形態に示した反射層１５とは異なる形態の反射層３５を備えるという点以外は、第１実施形態の反射スクリーン１０と略同様の形態である。よって、前述した第１実施形態と同様の機能を果たす部分には、同一の符号を付して、重複する説明を適宜省略する。
第３実施形態の反射スクリーン３０は、基材層１１，光透過部１２，光吸収部１３，間隔設定層３４，反射層３５，表面処理層１６を備えている。
【００５０】
まず、反射層３５から説明する。
反射層３５は、反射基材部３５１、賦形部３５２、反射部３５３を有している。
反射基材部３５１は、賦形部３５２を形成するときに必要な基材（ベース）となる部分であり、ＰＥＴ，ＰＣ，ポリオレフィン，変性ポリオレフィン，アクリル，ＰＶＣ（ポリ塩化ビニル）等の樹脂製のシート又はフィルムから形成される。本実施形態では、ＰＥＴ樹脂を使用している。
【００５１】
賦形部３５２は、反射層３５の一面に設けられ、観察面側の表面に単位反射表面形状がスクリーンの使用状態の水平方向に複数並んで配置された部分である。この単位反射表面形状は、スクリーンの使用状態の水平方向における断面形状が、略正弦波形状となっており、この略正弦波形状が略同一形状を保ちながら垂直方向に延在している。この正弦波形状の山及び谷を構成する曲面の半径は、半径０．０１ｍｍから０．１ｍｍの範囲内の寸法となっており、正弦波の周期、すなわち、単位反射表面形状の並ぶピッチは、０．１ｍｍとなっている。
また、賦形部３５２は、紫外線硬化型樹脂や電離放射線硬化型樹脂等の光硬化型樹脂により形成されている。
【００５２】
反射部３５３は、賦形部３５２の単位反射表面形状上に形成され、反射率を高める部分である。本実施形態では、反射部３５３は、アルミニウムを蒸着することにより形成されている。なお、反射部３５３の形成は、蒸着の他、各種コーティングにより行ってもよいが、反射部３５３としては、４０％以上の反射率を有することが、映像光の反射損失を低減するために望ましい。本実施形態では、反射部３５３の全光線反射率は８５％であり、拡散反射率は２５％である。
間隔設定層３４は、反射層３５の反射部３５３の表面と光透過部１２の裏面との間に所定の間隔をあけるように設けられた光を透過可能な層であり、光透過部１２及び光吸収部１３と、反射層３５とを接着接合する接着剤によって形成された層である。本実施形態では、間隔設定層３４は、光透過部１２と略同一の屈折率を有し、光の透過率が８７％のアクリル系接着剤を使用して形成されている。
【００５３】
光透過部１２及び光吸収部１３は、使用状態における垂直方向（上下方向）に配列されており、上下方向について光を制御するが、使用状態における水平方向については、殆ど光学的な影響を与えない。
これに対して、反射層３５は、反射部３５３が、賦形部３５２の上に形成されており、賦形部３５２に賦形された単位反射表面形状に沿って波打つような形態で形成されている。また、単位反射表面形状は、使用状態の水平方向に複数並んでおり、その配列方向は、光透過部１２及び光吸収部１３の配列方向と直交する方向である。さらに、単位反射表面形状は、水平方向の断面において略正弦波形状が略同一形状を保ち垂直方向に延在している。
従って、反射層３５の反射部３５３に到達した映像光は、垂直方向（上下方向）には殆ど拡散されることなく反射されるが、水平方向には拡散されて反射される。よって、光透過部１２を透過してきた映像光を、水平方向で拡散させて反射させることができる。
【００５４】
本実施形態によれば、反射層３５は、単位反射表面形状を有するので、光を特定の方向及び範囲に拡散させることができ、ホットスポット等を防止できる。また、単位反射表面形状が微細であることから、不自然な縞状の模様等が認識されることもなく、外観品質のよい反射シートとすることができる。
また、単位反射表面形状が配置される方向は、光透過部１２及び光吸収部１３が並ぶ方向と直交するので、単位反射表面形状が配置される方向においては、映像光を適度に拡散させることができ、かつ、光透過部及び光吸収部とが並ぶ方向では、不要な外光を効率よく吸収できる。従って、反射スクリーンの画質をより良好なものすることがとできる。
【００５５】
なお、本実施形態の反射スクリーン３０では、反射部３５３が賦形部３５２の単位反射表面形状に沿った形状であるため、間隔設定層の厚さは、反射スクリーン３０の使用状態の水平方向において変化する。そのため、本実施形態では、間隔設定層３４の厚さは、スクリーン面の法線方向における光透過部１２の裏面から反射部３５３の観察面側表面までの幅の平均値とすればよい。この平均値をｈ４２とすると、本実施形態においては、（式１）から（式８）より、可視角αは、
Ｐ＝ｈ３（ｔａｎ（θ１）−ｔａｎ（ａ１））＋２（ｈ４２）ｔａｎ（ｂ１）＋ｗ２
・・・（式１１）
Ｐ＝ｈ３（ｔａｎ（θ２）−ｔａｎ（ａ２））＋２（ｈ４２）ｔａｎ（ｂ２）＋ｗ２
・・・（式１２）
ｎ２ｓｉｎ（θ１）＝ｎ４ｓｉｎ（ｂ１）  ・・・（式３）
ｎ２ｓｉｎ（θ２）＝ｎ４ｓｉｎ（ｂ２）  ・・・（式４）
ｎ２ｓｉｎ（θ１）＝ｓｉｎ（α１）  ・・・（式５）
ｎ２ｓｉｎ（θ２）＝ｓｉｎ（α２）  ・・・（式６）
α１＋α２＝α  ・・・（式７）
４０°≦α≦７０°  ・・・（式８）
という関係を満たせばよい。
【００５６】
（変形形態）
以上説明した各実施形態に限定されることなく、種々の変形や変更が可能であって、それらも本発明の範囲内である。
（１）各実施形態において、光吸収部１３は、その断面形状が略二等辺三角形状である例を示したが、光吸収部１３の観察面側の端部、すなわち、光透過部１２間の谷の底となる部分は、曲面又は平面によって形成されていてもよい。
図８は、光吸収部の変形形態を示す図である。理解を容易にするために、図８では、基材層１１等は省略して示している。
図８では、光吸収部２３の観察面側の端部１２４が平面によって形成され、光吸収部２３の断面形状が略台形形状である例を示している。
この場合、例えば、第１実施形態の反射スクリーンの変形形態である反射スクリーン１０−２では、光吸収部２３の観察面側の端部１２４の両端、すなわち、光吸収部２３の光透過部１２との境界面の最も観察面側の端部である点Ｃ１，Ｃ２に接して光透過部１２内を透過する光Ｌ５，Ｌ６が、間隔設定層１４へ入射し、光吸収部２３の裏面側の光透過部側端部Ｂ２，Ｂ１へ入射するとき、反射スクリーン１０−２に光Ｌ５，Ｌ６が入射する入射角度をα５，α６とし、間隔設定層１４への入射する入射角度をθ５，θ６とする。この角度α５，α６，θ５，θ６が、上述の（式１）から（式７）を満たし、その角度α５とα６との和である可視角αが上述の（式７）及び（式８）を満たすものとすればよい。
なお、図８では、光吸収部２３の観察面側の端部１２４は、平面によって形成される例を示したが、これに限らず、例えば、曲面や、平面と曲面を組み合わせた形状としてもよい。
【００５７】
（２）第１実施形態及び第２実施形態において、反射層１５は、グラビアコーティングによって形成される例を示したが、これに限らず、例えば、シート状又はフィルム状の反射シートを用いてもよい。この場合、第１実施形態では、間隔設定層１４は、反射シートと光透過部１２とを接着する接着剤によって形成される層とすればよく、反射シートに予め形成されている接着剤層としてもよいし、塗布等によって形成される接着剤層としてもよい。
【００５８】
（３）第１実施形態において、光吸収部１３と光透過部１２との境界面がスクリーン面の法線方向となす角度ａ１＝ａ２＝４．５°、間隔設定層１４の厚さｈ４＝３０μｍ、光吸収部１３のスクリーン面の法線方向における高さｈ３＝１１７μｍとしたが、これに限らず、例えば、（式１）から（式７）を満たす可視角αが、４０°≦α≦７０°・・・（式８）を満たすならば、他の値としてもよく、適宜最適なものを選択してよい。
【００５９】
（４）各実施形態において、光吸収部１３と光透過部１２との境界面がスクリーン面の法線方向となす角度ａ１＝ａ２であり、光透過部１２及び光吸収部１３は、配列方向（上下方向）において対称な形状である例を示したが、これに限らず、例えば、光吸収部１３と光透過部１２との境界面がスクリーン面の法線方向となす角度ａ１，ａ２が等しくなく、光透過部１２及び光吸収部１３は、配列方向（上下方向）において非対称な形状としてもよい。
【００６０】
（５）第１実施形態及び第３実施形態において、間隔設定層１４，３４は、光透過部１２と略同等の屈折率を有する例を示したが、これに限らず、間隔設定層１４，３４の屈折率が光透過部１２の屈折率よりも低いものであってもよい。このような形態とすることにより、反射層１５，３５で反射した外光が間隔設定層１４，３４に入射した場合に、間隔設定層１４，３４での屈折角が大きくなり、光吸収部１３の裏面側へ入射する外光の量を増やすことができる。従って、よりコントラスト向上効果を高めることができる。
【００６１】
（６）第３実施形態において、単位反射表面形状は、水平方向での断面形状が略正弦波形状であり、水平方向で対称な形状である例を示したが、これに限らず、例えば、水平方向での断面形状が略三角形状であってその頂点が曲面によって形成された形状や、水平方向での断面形状が裏面側に凹となる不連続な曲線によって形成された形状としてもよいし、また、水平方向において非対称な形状としてもよい。
なお、各実施形態及び各変形形態は、適宜組み合わせて用いることも可能であるが、詳細な説明は省略する。
【図面の簡単な説明】
【００６２】
【図１】第１実施形態の反射スクリーン１０を示す図である。
【図２】図１に示す反射スクリーン１０の断面での一部を拡大した図である。
【図３】可視角αを説明する図である。
【図４】反射スクリーンに入射する映像光及び外光の入射角度範囲を示す図である。
【図５】各測定例の反射スクリーンに対する入射角度と反射率の関係を示すグラフである。
【図６】第２実施形態の反射スクリーンを説明する図である。
【図７】第３実施形態の反射スクリーンを示す図である。
【図８】光吸収部の変形形態を示す図である。
【符号の説明】
【００６３】
１０，２０，３０    反射スクリーン
１１    基材層
１２    光透過部
１３    光吸収部
１３１    第１の光吸収部
１３２    第２の光吸収部
１４，３４    間隔設定層
１５，３５    反射層
【図１】
2009098635.tif 000005
【図２】
2009098635.tif 000006
【図３】
2009098635.tif 000007
【図４】
2009098635.tif 000008
【図５】
2009098635.tif 000009
【図６】
2009098635.tif 000010
【図７】
2009098635.tif 000011
【図８】
2009098635.tif 000012